(57)【要約】      （修正有）【課題】ＮＦＣ機能が無効な画像形成装置でも、携帯端末のＮＦＣ機能を用いた印刷等を可能とする通信システム、画像形成装置及び通信方法を提供する。【解決手段】携帯端末と複数の画像形成装置（複合機１）とをネットワーク６を介し無線で接続し、携帯端末と画像形成装置のＩＣタグとをＮＦＣ機能で通信可能な通信システムであって、携帯端末は、画像形成装置へＮＦＣ設定を含む設定値情報の送信を要求し、受信したＮＦＣ設定が無効である画像形成装置が存在する場合、画像形成装置へＮＦＣ機能を有効にする指示を行い、指示後に、ＮＦＣ機能でＩＣタグから画像形成装置を特定する情報を読取る。画像形成装置は、記憶部に設定値情報、ＩＣタグに特定するための情報を記憶し、携帯端末から設定値情報の送信要求を受信したとき、設定値情報を読出して携帯端末へ送信し、携帯端末から有効化指示を受信したとき、自機のＮＦＣ機能を有効にする。【選択図】図２
2020162061.tif 000002
【特許請求の範囲】
【請求項１】
携帯端末と複数の画像形成装置とをネットワークを介して無線で接続すると共に、前記携帯端末のタグ読取部と前記画像形成装置のＩＣタグとをＮＦＣ機能により通信可能に接続した通信システムであって、
前記携帯端末は、
前記ネットワークを介して前記画像形成装置へ前記画像形成装置のＮＦＣ設定を含む設定値情報の送信要求を送信し、
前記ネットワークを介して受信した前記設定値情報の前記ＮＦＣ設定が無効となっている画像形成装置が存在する場合に、前記画像形成装置へ前記ネットワークを介して前記画像形成装置のＮＦＣ機能を有効にするための有効化指示を送信し、
前記有効化指示の送信後に、前記ＮＦＣ機能によって前記タグ読取部により前記ＩＣタグから前記ネットワークを介して前記画像形成装置を特定するための情報を読取り、
前記画像形成装置は、
記憶部に前記設定値情報を記憶すると共に、前記ＩＣタグに前記特定するための情報を記憶しておき、
前記携帯端末から前記ネットワークを介して前記設定値情報の送信要求を受信したときに、前記記憶部から前記設定値情報を読出して前記携帯端末へ送信し、
前記携帯端末から前記ネットワークを介して前記有効化指示を受信したときに、自機のＮＦＣ機能を有効にすることを特徴とする通信システム。
【請求項２】
請求項１に記載の通信システムにおいて、
前記携帯端末は、
前記有効化指示を送信した画像形成装置であって、前記タグ読取部によって前記特定するための情報を読取らなかった画像形成装置へ、前記ネットワークを介して前記ＮＦＣ機能を無効にするための無効化指示を送信し、
前記画像形成装置は、
前記ネットワークを介して前記無効化指示を受信したときに、自機の前記ＮＦＣ機能を無効にすることを特徴とする通信システム。
【請求項３】
携帯端末と複数の画像形成装置とをネットワークを介して無線で接続すると共に、前記携帯端末のタグ読取書込部と前記画像形成装置のＩＣタグとをＮＦＣ機能により通信可能に接続した通信システムであって、
前記携帯端末は、
自機を個別に識別するための固有情報を生成する固有情報生成部を備え、
前記ネットワークを介して前記画像形成装置へ、前記前記画像形成装置のＮＦＣ設定を含む設定値情報の送信要求を送信し、
前記ネットワークを介して受信した前記設定値情報の前記ＮＦＣ設定が無効となっている画像形成装置が存在する場合に、前記画像形成装置へ前記ネットワークを介して、ＮＦＣ機能を制限付で有効にするための制限付有効化指示を送信し、
前記制限付有効化指示の送信後に、前記受信した設定値情報の前記ＮＦＣ設定が既に制限付有効となっている画像形成装置を含む前記制限付有効化指示を送信した画像形成装置へ前記ネットワークを介して前記固有情報を送信し、
前記固有情報の送信後に、前記ＮＦＣ機能によって前記タグ読取書込部により前記ＩＣタグから前記ネットワークを介して前記画像形成装置を特定するための情報を読取ると共に前記ＩＣタグに前記固有情報を書込み、
前記画像形成装置は、
記憶部に前記設定値情報を記憶すると共に、前記ＩＣタグに前記特定するための情報を記憶しておき、
前記携帯端末から前記ネットワークを介して前記設定値情報の送信要求を受信したときに、前記記憶部から前記設定値情報を読出して前記携帯端末へ送信し、
前記携帯端末から前記ネットワークを介して前記制限付有効化指示を受信したときに、自機のＮＦＣ機能を制限付有効にし、
前記携帯端末から前記ネットワークを介して前記固有情報を受信したときに、受信した前記固有情報を前記記憶部に保存し、
前記ＩＣタグに書込まれた前記固有情報と、前記保存した固有情報とが一致したときに、前記ネットワークを介した通信を許可することを特徴とする通信システム。
【請求項４】
携帯端末とネットワークを介して無線で接続すると共に、前記携帯端末のタグ読取部とＮＦＣ機能により通信可能に接続するＩＣタグを有する画像形成装置であって、
記憶部に、自機のＮＦＣ設定を含む設定値情報を記憶すると共に、前記ＩＣタグに、前記ネットワークを介して自機を特定するための情報を記憶しておき、
前記携帯端末から前記ネットワークを介して前記設定値情報の送信要求を受信したときに、前記記憶部から前記設定値情報を読出して前記携帯端末へ送信し、
前記携帯端末から前記ネットワークを介して、自機のＮＦＣ機能を有効にするための有効化指示を受信したときに、前記ＮＦＣ機能を有効にすることを特徴とする画像形成装置。
【請求項５】
請求項４に記載の画像形成装置において、
前記携帯端末のタグ読取部により前記ＮＦＣ機能によって前記特定するための情報が読取られたときに、前記ＮＦＣ機能を無効にすることを特徴とする画像形成装置。
【請求項６】
携帯端末とネットワークを介して無線で接続すると共に、前記携帯端末のタグ読取書込部とＮＦＣ機能により通信可能に接続するＩＣタグを有する画像形成装置であって、
記憶部に、自機のＮＦＣ設定を含む設定値情報を記憶すると共に、前記ＩＣタグに、前記ネットワークを介して自機を特定するための情報を記憶しておき、
前記携帯端末から前記ネットワークを介して前記設定値情報の送信要求を受信したときに、前記記憶部から前記設定値情報を読出して前記携帯端末へ送信し、
前記携帯端末から前記ネットワークを介して、ＮＦＣ機能を制限付で有効にするための制限付有効化指示を受信したときに、自機のＮＦＣ機能を制限付有効にし、
前記携帯端末から前記ネットワークを介して、前記携帯端末を個別に識別するための固有情報を受信したときに、受信した前記固有情報を前記記憶部に保存し、
前記ＩＣタグに書込まれた前記固有情報と、前記保存した固有情報とが一致したときに、前記ネットワークを介した通信を許可することを特徴とする画像形成装置。
【請求項７】
第１画像形成装置および第２画像形成装置を含む複数の画像形成装置と携帯端末とが第１の無線を用いたネットワークを介して通信を行い、前記複数の画像形成装置のいずれか一つと前記携帯端末とが選択的に第２の無線を用いた近距離の通信を行う通信方法であって、
前記携帯端末から前記第１の無線を用いた前記ネットワークを介して、前記第１画像形成装置がもつ、第２の無線を用いた近距離の通信である近距離無線通信を行うための設定を無効から有効とすると共に、前記第２の画像形成装置がもつ前記近距離無線通信を行うための設定を無効から有効とする指示を送信し、
前記携帯端末が、前記近距離無線通信を用いて前記第１画像形成装置と、当該第１画像形成装置を特定するための情報を通信し、前記ネットワークを用いて前記特定するための情報で特定した前記第１の画像形成装置と通信を行うと共に、前記ネットワークを用いて前記第２画像形成装置がもつ前記近距離通信を行うための設定を有効から無効とする指示を送信することを特徴とする通信方法。
【発明の詳細な説明】
【技術分野】
【０００１】
本発明は、スマートフォン等の携帯端末を用いて複合機等の画像形成装置で印刷やスキャン等を行う通信システムおよび画像形成装置および通信方法に関する。
【背景技術】
【０００２】
従来の携帯端末を用いた通信システムにおいては、印刷アプリケーションプログラム（以下、印刷ＡＰと記す。）の起動時に携帯端末のＮＦＣ設定がＯＦＦの場合は、印刷ＡＰが携帯端末のＮＦＣ設定を自動的にＯＮに変更して画像形成装置のＩＣタグから接続情報を取得し、取得した接続情報によってハンドオーバー処理を実行している（例えば、特許文献１参照。）。
【先行技術文献】
【特許文献】
【０００３】
【特許文献１】特開２０１７−３４３７９号公報（段落００１５、００４１−００４９、第６図）
【発明の概要】
【発明が解決しようとする課題】
【０００４】
しかしながら、上述した従来の技術においては、利用者が携帯端末のＮＦＣ機能を用いて印刷やスキャンを行う場合に、画像形成装置の装置設定によりＮＦＣ機能が無効とされている場合は、利用者が手動で画像形成装置のＮＦＣ機能を有効に設定し直す必要があり、利用者の利便性が低下するという問題がある。
本発明は、上記の問題点を解決するためになされたもので、ＮＦＣ機能が無効とされている画像形成装置であっても、携帯端末のＮＦＣ機能を用いた印刷等を可能とする手段を提供することを目的とする。
【課題を解決するための手段】
【０００５】
本発明は、上記課題を解決するために、携帯端末と複数の画像形成装置とをネットワークを介して無線で接続すると共に、前記携帯端末のタグ読取部と前記画像形成装置のＩＣタグとをＮＦＣ機能により通信可能に接続した通信システムであって、前記携帯端末は、前記ネットワークを介して前記画像形成装置へ前記画像形成装置のＮＦＣ設定を含む設定値情報の送信要求を送信し、前記ネットワークを介して受信した前記設定値情報の前記ＮＦＣ設定が無効となっている画像形成装置が存在する場合に、前記画像形成装置へ前記ネットワークを介して前記画像形成装置のＮＦＣ機能を有効にするための有効化指示を送信し、前記有効化指示の送信後に、前記ＮＦＣ機能によって前記タグ読取部により前記ＩＣタグから前記ネットワークを介して前記画像形成装置を特定するための情報を読取り、前記画像形成装置は、記憶部に前記設定値情報を記憶すると共に、前記ＩＣタグに前記特定するための情報を記憶しておき、前記携帯端末から前記ネットワークを介して前記設定値情報の送信要求を受信したときに、前記記憶部から前記設定値情報を読出して前記携帯端末へ送信し、前記携帯端末から前記ネットワークを介して前記有効化指示を受信したときに、自機のＮＦＣ機能を有効にすることを特徴とする。
【発明の効果】
【０００６】
これにより、利用者は、画像形成装置のＮＦＣ設定を意識することなくＮＦＣ機能を用いた画像形成装置を特定するための情報の読取りを行うことができ、ＮＦＣ機能を有する画像形成装置の利用における利用者の利便性を向上させることができるという効果が得られる。
【図面の簡単な説明】
【０００７】
【図１】実施例１の通信システムを示すブロック図
【図２】実施例１の画像形成装置および携帯端末を示すブロック図
【図３】実施例１のＩＣタグを示すブロック図
【図４】実施例１の携帯端末の印刷指示処理を示すフローチャート
【図５】実施例１の画像形成装置の印刷処理を示すフローチャート
【図６】実施例２の画像形成装置および携帯端末を示すブロック図
【図７】実施例２のＩＣタグを示すブロック図
【図８】実施例２の携帯端末の印刷指示処理を示すフローチャート
【図９】実施例２の画像形成装置の印刷処理を示すフローチャート
【発明を実施するための形態】
【０００８】
以下に、図面を参照して本発明による通信システムおよび画像形成装置および通信方法の実施例について説明する。
【実施例１】
【０００９】
以下に、図１ないし図５を用いて本実施例の通信システムおよび画像形成装置について説明する。
本実施例の通信システムは、図１に示すように、社内、部内、課内等の同一グループに属する複数の画像形成装置としてのＭＦＰ（ＭｕｌｔｉＦｕｎｃｔｉｏｎ  Ｐｒｉｎｔｅｒ、以下複合機１という。）と、携帯端末３とを、基地局５を有する一つのローカルエリアネットワーク（以下、ネットワーク６という。）介して第１の無線で接続して構成される。
【００１０】
本実施例では、各複合機１と携帯端末３とのネットワーク６を介した無線通信は、インフラストラクチャモードにより行われる。
複合機１は、同一グループ内で共用される装置であって、通信機能、印刷機能、スキャン機能等を有しており、図２に示す構成を備える。
【００１１】
複合機１の装置制御部１１は、複合機１内の各部を制御して、通信処理、印刷処理、スキャン処理等を実行する機能等を有する。
装置通信部としての無線通信部１２は、携帯端末３との間でネットワーク６を介した無線によるデータの送受信を行う機能等を有する。
【００１２】
装置記憶部１３は、装置制御部１１が実行するプログラムやそれに用いる各種のデータおよび装置制御部１１による処理結果等が保存される。
印刷部１５は、印刷用の用紙を収容する用紙カセット、用紙上に印刷するトナー像を形成する画像形成部、画像形成部で形成されたトナー像を用紙に転写する転写部、転写されたトナー像を用紙に定着させる定着部、定着部から排出された印刷済の用紙を外部に排出する排出部等を備えており、受信した印刷指示の印刷データを基に、用紙上に印刷データの画像や文字列を印刷する機能を有する。
【００１３】
スキャナ部１７は、ＣＣＤ（Ｃｈａｒｇｅ  Ｃｏｕｐｌｅｄ  Ｄｅｖｉｃｅ）等からなるラインセンサを有するスキャナ等を備えており、複合機１にセットされた原稿の文字列や画像を読取る機能等を有する。
操作表示部１８は、複合機１の前面に配置され、ＬＣＤ等の表示画面やタッチパネル等の位置信号検出手段等を備えており、表示画面に装置状態や、利用者が装置情報を設定するための設定画面、各種の入力画面等を表示する機能を有する。
【００１４】
パネル操作部１８ａは、トグル入力機能を有するテンキーや十字キー、「確認」キー、「設定」キー等からなる各種の操作キー、複合機１へ供給する電源の電源スイッチ等を備えており、利用者による操作入力を受付ける機能を有する。
本実施例の入力手段は、操作表示部１８に設けられた位置信号検出手段と、パネル操作部１８ａに設けられた各操作キーにより構成される。
【００１５】
ＩＣタグ２０は、複合機１の操作表示部１８に設けられ、外部からネットワーク６を介して自機に接続するための接続情報等を記憶しており、携帯端末３との間で、第２の無電を用いた近距離の通信である、近距離無線通信（Ｎｅａｒ  Ｆｉｅｌｄ  Ｃｏｍｍｕｎｉｃａｔｉｏｎ、ＮＦＣという。）による通信を行う機能（ＮＦＣ機能という。）等を有する。なお、詳細は後述する。
【００１６】
本実施例の接続情報は、複合機１を特定するためのネットワーク情報であって、例えば、基地局５の識別ＩＤ、複合機１の識別ＩＤ（装置ＩＤという。）等で構成される。
上記の装置制御部１１には、装置情報提供部１１ａ、装置情報設定部１１ｂ、装置機能制御部１１ｃ等が設けられる。
【００１７】
装置情報提供部１１ａは、複合機１の自機の設定値情報を、外部からの要求に応じて装置記憶部１３から読出し、読出した設定値情報を要求元に提供する機能を有する。
装置情報設定部１１ｂは、操作表示部１８および無線通信部１２から取得した情報を基に、装置記憶部１３に保存されている設定値情報の各設定を個別に変更する機能を有する。
【００１８】
装置機能制御部１１ｃは、無線通信部１２によって携帯端末３から受信した印刷指示やスキャン指示に応じて、画像データを取得、加工して、印刷部１５による画像や文字列の印刷を実行すると共にスキャナ部１８による原稿の画像や文字列のスキャンを実行する機能を有する。
また、装置記憶部１３には、設定値情報保存部１３ａ、一時保存部１３ｂ等が設けられる、
設定値情報記憶部１３ａは、複合機１の現在の設定値情報を記憶しており、装置制御部１１から設定値情報の変更を通知された場合に、記憶している設定値情報の設定値を、通知された設定値情報の設定値に個別に書替えて保存する。
本実施例の複合機１の設定値情報は、ＮＦＣ機能が有効または無効に設定されていること、装置無線機能が有効または無効に設定されていること等で構成される。
【００１９】
一時保存部１３ｂは、装置制御部１１から設定値情報の変更を通知された場合に、設定値情報記憶部１３ａが保存している変更前の設定値情報、つまり現在の設定値情報を一時的に保存する保存エリアである。
本実施例の携帯端末３は、利用者が所持するスマートフォンやタグレット端末、ノート型パーソナルコンピュータ等の携帯型の情報端末であって、図２に示す構成を備える。
【００２０】
携帯端末３の端末制御部３１は、携帯端末３内の各部を制御して、ネットワーク６を介して送受される通信処理等を行う機能等を有する。
端末通信部としての無線通信部３２は、複合機１の無線通信部１２との間でネットワーク６を介した無線によるデータの送受信を行う機能等を有する。
【００２１】
端末記憶部３３は、端末制御部３１が実行するプログラムやそれに用いる各種のデータおよび端末制御部３１による処理結果等が保存される。
タグ読取部３４は、携帯端末３を、複合機１のＩＣタグ２０に近接させることによって端末アンテナ３４ａ（図３参照）を介して、ＩＣタグ２０に書込まれている接続情報等を、ＮＦＣ機能を用いて読取る機能等を有する。
【００２２】
本実施例の端末制御部３１には、外部情報制御部３１ａ、指示情報生成部３１ｂ等が設けられる。
外部情報制御部３１ａは、無線通信部３２やタグ読取部３４を用いて複合機１等の外部と通信して取得した情報を携帯端末３内に取込む機能、指示情報生成部３１ｂが生成した複合機１への指示情報等を、無線通信部３２によって外部へ送信する機能を有する。
【００２３】
指示情報生成部３１ｂは、外部情報制御部３１ａから取得した情報を基に、複合機１の設定値情報を変更するための指示情報等を生成する機能、複合機１への印刷指示やスキャン指示を生成する機能を有する。
また、端末記憶部３３には、外部情報制御部３１ａにより取得した複合機１の情報を保存する装置設定情報記憶部３３ａが設けられる。
【００２４】
上記のように、本実施例では、複合機１の無線通信部１２と携帯端末３の無線通信部３２との間で、ネットワーク６を介した無線によるデータの送受信が行われ、複合機１のＩＣタグ２０と携帯端末３のタグ読取部３４との間で、ＮＦＣ機能を用いたデータの読取りが行われる。
【００２５】
本実施例のＩＣタグ２０は、図３に示すように、タグ制御部２１、内部入出力部２２、タグ記憶部２３、外部入出力部２４等を備える。
ＩＣタグ２０のタグ制御部２１は、ＩＣタグ２０内の各部を制御して、ＮＦＣによる通信処理等を実行する機能等を有する。
【００２６】
内部入出力部２２は、タグ制御部２１と装置制御部１１との間を接続して、これらの間データの送受を仲介する機能等を有する。
タグ記憶部２３は、不揮発性メモリ等を備えており、タグ制御部２１が実行するプログラムやそれに用いる各種のデータ等が保存される他、装置制御部１１から内部入出力部２２を介して出力された複合機１の接続情報等を記憶する。
【００２７】
外部入出力部２４は、タグ制御部２１とタグアンテナ２０ａとの間を接続して、これらの間データの送受を仲介する機能等を有する。
このタグアンテナ２０ａに携帯端末３の端末アンテナ３４ａから電磁波による電磁給電を受けたときに、タグ制御部２１は、タグ記憶部２３に記憶している接続情報等を読出し、読出した接続情報等をタグアンテナ２０ａ、端末アンテナ３４ａを介してＮＦＣ機能により携帯端末３のタグ読取部３４へ出力し、これをタグ読取部３４で受取って端末制御部３１が接続情報等を読取る。
【００２８】
以下に、図４および図５に示すフローチャートを用いて、本実施例の通信システムによるかざして通信処理の処理動作について説明する。
【００２９】
ここで、かざして通信とは、複合機１のＩＣタグ２０に携帯端末３をかざすことによって、ＮＦＣ機能により当該複合機１と携帯端末３との間でネットワーク６を介した無線通信を実行するために必要な接続情報を取得し、取得した接続情報を基づいて相互の無線通信を確立させることをいう。
【００３０】
なお、図４に示す携帯端末３の印刷指示処理の処理動作はＳで示すステップに従って、図５に示す複合機１の印刷処理の処理動作はＳＡで示すステップに従って説明する。
また、複合機１の処理動作は、同一のネットワーク６内に属する場合は同様であるので、１台の複合機１を例に説明する。
【００３１】
Ｓ１（図４）：携帯端末３を所持する利用者は、携帯端末３に保存されている画像や文字列を印刷しようとする場合に、携帯端末３にインストールされている印刷ＡＰを起動する。このとき、携帯端末３のＮＦＣ機能は、無効となっている。
【００３２】
Ｓ２：印刷ＡＰの起動を認識した端末制御部３１は、同一のネットワーク６内に属する各複合機１の設定値情報を取得するために、無線通信部３２によって各複合機１との間のインフラストラクチャモードによる接続を確立する。
【００３３】
Ｓ３：各複合機１との接続を確立した端末制御部３１は、無線通信部３２によりネットワーク６を介して各複合機１の無線通信部１２に設定値情報の送信要求を送信してステップＳ４へ移行する。
この送信は、結合子Ｘ１を介して図５のステップＳＡ１へ送信される。
【００３４】
ＳＡ１（図５）：複合機１の運用が開始されると、装置制御部１１は、無線通信部１２によって携帯端末３からの設定値情報送信要求の受信を待って待機し、設定値情報送信要求を受信したときにステップＳＡ２へ移行する。設定値情報送信要求を受信しない場合は前記の待機を継続する。
【００３５】
ＳＡ２：設定値情報送信要求を受信した装置制御部１１は、装置情報提供部１１ａによって、装置記憶部１３の設定値情報記憶部１３ａから自機の設定値情報を読出し、読出した設定値情報を携帯端末３で処理可能な形態に形成して、無線通信部１２によりネットワーク６を介して要求元の携帯端末３の無線通信部３２へ送信する。
この送信は、結合子Ｘ２を介して図４のステップＳ４へ送信される。
【００３６】
Ｓ４：設定値情報送信要求の送信後に、各複合機１からの設定値情報の受信を待って待機していた端末制御部３１は、送信した全ての複合機１から設定値情報を受信したときに、ステップＳ５へ移行する。いずれかの複合機１から設定値情報をまだ受信しない場合は前記の待機を継続する。
【００３７】
Ｓ５：全ての複合機１から設定値情報を受信した端末制御部３１は、ＮＦＣ機能を有する複合機１が周囲に存在するか否かを判定するために、外部情報制御部３１ａにより受信した設定値情報を解析し、いずれかの複合機１からの設定値情報のＮＦＣ機能の設定（ＮＦＣ設定という。）が無効となっている場合はステップＳ６へ移行する。全ての複合機１のＮＦＣ設定が有効となっている場合はステップＳ８へ移行する。
【００３８】
Ｓ６：いずれかの複合機１のＮＦＣ設定が無効となっていることを認識した端末制御部３１は、指示情報生成部３１ｂによって、複合機１のＮＦＣ機能を有効に変更することを指示するためのＮＦＣ設定有効化指示を生成し、生成したＮＦＣ設定有効化指示を、ネットワーク６を介してＮＦＣ設定が無効となっている複合機１へ送信してステップＳ７へ移行する。
この送信は、結合子Ｘ３を介して図５のステップＳＡ３へ送信される。
【００３９】
ＳＡ３：設定値情報の送信後に、携帯端末３からのＮＦＣ設定有効化指示の受信を待って待機していた装置制御部１１は、ＮＦＣ設定有効化指示を受信したときに、ステップＳＡ４へ移行する。ＮＦＣ設定有効化指示を受信しない場合は前記の待機を継続する。
【００４０】
ＳＡ４：ＮＦＣ設定有効化指示を受信した装置制御部１１は、装置情報設定部１１ｂにＮＦＣ設定を有効に変更する旨を通知し、装置情報設定部１１ｂは、装置記憶部１３の設定値情報記憶部１３ａに記憶されている現在の設定値情報を読出し、読出した設定値情報を一時保存部１３ｂに一時保存する。
【００４１】
ＳＡ５：現在の設定値情報を一時保存した装置情報設定部１１ｂは、装置制御部１１からの通知を基に、設定値情報のＮＦＣ設定を有効に書替え、書替えた新たな設定値情報を設定値情報記憶部１３ａに保存すると共に、ＩＣタグ２０のＮＦＣ機能を有効にしてステップＳＡ６へ移行する。
【００４２】
Ｓ７：一方、ステップＳ６でＮＦＣ設定有効化指示を送信した端末制御部３１は、ＮＦＣ設定有効化指示を送信した複合機１の装置ＩＤ等の情報を端末記憶部３３の装置設定情報記憶部３３ａに保存してステップＳ８へ移行する。
【００４３】
Ｓ８：ステップＳ５またはＳ７から移行した端末制御部３１は、携帯端末３のＮＦＣ機能を有効にしてタグ読取部３４による電磁給電を開始し、所定の時間（例えば、３分間）の経過を待って待機し、所定の時間が経過したときにステップＳ１０へ移行する。所定の時間が経過していない場合はステップＳ９へ移行する。
【００４４】
Ｓ９：タグ読取部３４による電磁給電を開始した端末制御部３１は、印刷ＡＰを起動した利用者が携帯端末３を複合機１のＩＣタグ２０にかざすのを待って待機し、利用者が携帯端末３を複合機１のＩＣタグ２０にかざしたときに、複合機１のＩＣタグ２０からＮＦＣ機能により接続情報の読取りを行ってステップＳ１１へ移行する。
【００４５】
接続情報の読取りを行っていない場合は、ステップＳ８へ戻ってステップＳ８、Ｓ９による待機を継続する。
【００４６】
Ｓ１０：所定の時間内に接続情報の読取りが行えなかったことを認識した端末制御部３１は、携帯端末３のＮＦＣ機能を無効に戻し、指示情報生成部３１ｂによって、複合機１のＮＦＣ機能を無効に変更することを指示するためのＮＦＣ設定無効化指示を生成し、生成したＮＦＣ設定無効化指示を、ネットワーク６を介して装置設定情報記憶部３３ａに保存した全ての複合機１へ送信し、今回の印刷ＡＰの起動に伴う印刷指示処理を終了させる。
この送信は、結合子Ｘ４を介して図５のステップＳＡ６へ送信される。
【００４７】
Ｓ１１：タグ読取部３４により複合機１のＩＣタグ２０から接続情報の読取りを行った端末制御部３１は、携帯端末３のＮＦＣ機能を無効に戻し、外部情報制御部３１ａにより読取った接続情報を端末記憶部３３に保存し、ステップＳ１０と同様にして、生成したＮＦＣ設定無効化指示を、装置設定情報記憶部３３ａに保存した複合機１の中から、接続情報を読取った複合機１を除いた複合機１へネットワーク６を介して送信しステップＳ１２へ移行する。
この送信は、結合子Ｘ４を介して図５のステップＳＡ６へ送信される。
【００４８】
この場合に、接続情報の読取りを行った複合機１が、上記ステップＳ４で受信した設定値情報のＮＦＣ設定が、既に有効になっていた場合は、装置設定情報記憶部３３ａに保存した全ての複合機１へＮＦＣ設定無効化指示を送信する。
【００４９】
ＳＡ６：装置制御部１１は、ステップＳＡ５でＩＣタグ２０のＮＦＣ機能を有効にしたときからの一定の時間（例えば３分間）の経過を待って待機し、一定の時間が経過したときにステップＳＡ９へ移行する。一定の時間が経過していない場合はステップＳＡ７へ移行する。
【００５０】
ＳＡ７：装置制御部１１は、携帯端末３からのＮＦＣ設定無効化指示の受信を待って待機し、携帯端末３からＮＦＣ設定無効化指示を受信したときにステップＳＡ９へ移行する。ＮＦＣ設定無効化指示を受信しない場合はステップＳＡ８へ移行する。
【００５１】
ＳＡ８：装置制御部１１は、利用者がＩＣタグ２０へ携帯端末３をかざすのを待って待機し、ＩＣタグ２０へ携帯端末３がかざされ、携帯端末３からの電磁給電を受付けたときに、タグ制御部２１によって、携帯端末３のタグ読取部３４へ、タグ記憶部２３に記憶している接続情報をタグアンテナ２０ａを介して出力しステップＳＡ１０へ移行する。
【００５２】
接続情報を出力していない場合は、ステップＳＡ６へ戻って、ステップＳＡ６からＳＡ８による待機を継続する。
【００５３】
ＳＡ９：ステップＳＡ６で一定時間の経過を判定した、またはステップＳＡ７でＮＦＣ設定無効化指示を受信した装置制御部１１は、装置記憶部１３の一時保存部１３ｂに一時保存した元の設定値情報、つまりＮＦＣ設定が無効となっている設定値情報を読出し、これを設定値記憶部１３ａに保存して複合機１の設定値情報のＮＦＣ機能を元の状態に復帰させ、今回の設定値情報送信要求の受信に伴う印刷処理を終了させる。
【００５４】
ＳＡ１０：接続情報の出力を認識した装置制御部１１は、ステップＳＡ９と同様にして、設定値情報を元の状態に復帰させてステップＳＡ１２へ移行する。
【００５５】
Ｓ１２：一方、ステップＳ１１でＮＦＣ設定無効化指示を送信した端末制御部３１は、タグ読取部３４で読取り、端末記憶部３２に保存した複合機１の接続情報を基に無線通信部３２と複合機１の無線通信部１２の間のネットワーク６を介した接続を確立させ、指示情報生成部３１ｂによって、利用者が選択した画像や文字列からなる印刷データを添付した印刷指示を生成し、生成した印刷指示をネットワーク６を介して接続情報を読取った複合機１へ送信する。この送信は、結合子Ｘ５を介して図５のステップＳＡ１１へ送信される。
【００５６】
そして、端末制御部３１は、今回の印刷ＡＰの起動に伴う印刷指示処理を終了させる。
ＳＡ１１：接続情報の出力後に、設定値情報を元の状態に復帰させた装置制御部１１は、携帯端末３からの印刷指示の受信を待って待機し、印刷指示を受信したときにステップＳＡ１２へ移行する。印刷指示を受信しない場合は前記の待機を継続する。
【００５７】
ＳＡ１２：印刷指示を受信した装置制御部１１は、装置機能制御部１１ｃによって、受信した印刷指示に添付された印刷データの画像や文字列を、印刷部１５により用紙上に印刷して外部に排出し、今回の設定値情報送信要求の受信に伴う印刷処理を終了させる。
【００５８】
一方、排出された印刷物を視認した利用者は当該印刷物を受取る。
このようにして、本実施例の通信システムによるかざして通信処理が実行される。
【００５９】
以上説明したように、本実施例では、携帯端末３を所持する利用者は、ＮＦＣ機能を用いて複合機１で印刷等を行う場合に、ＡＰの起動時に、同一ネットワーク６上の各複合機１のＮＦＣ機能を予め有効としておくので、ＮＦＣ機能を用いた印刷が不可となっている複合機１が存在する場合であっても、利用者がＮＦＣ機能を有効にするための操作を行う必要がなくなり、利用者の無駄な操作を抑止することができると共に、利用者は複合機１のＮＦＣ設定を意識することなくＮＦＣ機能を用いた接続情報の読取りを行うことができ、ＮＦＣ機能を有する複合機１の利用における利用者の利便性を向上させることができる。
【００６０】
また、本実施例では、複合機１のＮＦＣ設定を変更した場合は、ＮＦＣ機能を利用しなかった複合機１のＮＦＣ設定を元の無効に復帰させるので、節電モード等に設定されている複合機１の電力消費を抑制することができる。
【００６１】
更に、本実施例では、複合機１のＮＦＣ設定を変更した場合は、携帯端末３によりＮＦＣ機能を用いて接続情報を読取った直後に、ＮＦＣ設定無効化指示を送信して複合機１のＮＦＣ設定を元の無効に復帰させるので、自機のＮＦＣ機能を有効にした後に、一定時間の待機を継続している複合機１の待機時間を短縮することができ、節電モード等に設定されている複合機１の電力消費を更に抑制することができる。
【００６２】
これらは、複合機１のＮＦＣ設定を有効にしている場合は、装置の状態変化等のタイミングで装置制御部１１がＩＣタグ２０に給電を行ってＩＣタグ２０に情報等を書込む動作を行うので、装置の電力消費を低減するために節電モード等に設定されている場合にＮＦＣ設定が無効に設定されている場合があるからである。
【実施例２】
【００６３】
以下に、図６ないし図９を用いて本実施例の通信システムおよび画像形成装置について説明する。なお上記実施例１と同様の部分は、同一の符号を付してその説明を省略する。
【００６４】
本実施例の複合機１の装置記憶部１３の設定値情報記憶部１３ａは、上記実施例１と同様に設定値情報を保存しているが、この設定値情報は、ＮＦＣ機能が有効または無効または制限付有効に設定されていること、装置無線機能が有効または無効に設定されていること等で構成される。
【００６５】
この場合の制限付有効とは、複合機１のＮＦＣ機能を利用する利用者を制限するために、固有情報（後述）を送信した携帯端末３の所持者にのみにＮＦＣ機能の利用を許可することをいう。
【００６６】
複合機１の装置記憶部１３の一時保存部１３ｂは、上記実施例１と同様に、設定値情報記憶部１３ａが記憶している現在の設定値情報を一時的に保存する他、携帯端末３からネットワーク６を介して送信された携帯端末３の固有情報も一時保存する。
【００６７】
複合機１の装置制御部１１の装置機能制御部１１ｃは、上記実施例１と同様に、携帯端末３から受信した印刷指示やスキャン指示に応じて印刷およびスキャンを実行する機能を有する他、携帯端末３からＩＣタグ２０に書込まれた固有情報と、一時保存部１３ｂに一時保存されているネットワーク６を介して受信した固有情報とが一致するか否かを判定して、ＮＦＣ機能を利用する利用者を制限する機能を有する。
【００６８】
本実施例の携帯端末３の端末制御部３１には、固有情報生成部４１が設けられ、固有情報生成部４１は、印刷指示等を送信した複合機１が送信元の携帯端末３を個別に識別するための固有情報を生成する機能を有する。
本実施例の固有情報としては、携帯端末３のシリアル番号、つまり製造番号を用いられる。
【００６９】
また、携帯端末３の端末制御部３１の指示情報生成部３１ｂは、上記実施例１と同様に、複合機１の設定値情報を変更するための指示情報等を生成する機能、複合機１への印刷指示やスキャン指示を生成する機能を有する他、生成した指示情報に、固有情報生成部４１で生成した固有情報を添付する機能を有する。
【００７０】
更に、本実施例の携帯端末３には、上記実施例１のタグ読取部３４に替えて、タグ読取書込部４２が設けられ、図７に示すように、携帯端末３を、複合機１のＩＣタグ２０に近接させることによって端末アンテナ４２ａを介して、ＩＣタグ２０に書込まれている接続情報等を読取る機能、および固有情報生成部４１で生成した固有情報を、端末アンテナ４２ａとタグアンテナ２０ａを介して複合機１のＩＣタグ２０に書込む機能等を有する。
【００７１】
上記のように、本実施例では、複合機１の無線通信部１２と携帯端末３の無線通信部３２との間で、ネットワーク６を介した無線によるデータの送受信が行われ、複合機１のＩＣタグ２０と携帯端末３のタグ読取書込部４２との間で、ＮＦＣ機能を用いたデータの読み書きが行われる。
【００７２】
また、本実施例の複合機１のＩＣタグ２０と携帯端末３のタグ読取書込部４２は、携帯端末３の端末アンテナ４２ａから電磁給電を受けたときに、タグ制御部２１は、タグ記憶部２３に記憶している接続情報等を読出し、読出した接続情報等をタグアンテナ２０ａ、端末アンテナ４２ａを介してＮＦＣにより携帯端末３のタグ読取書込部４２へ出力し、これをタグ読取書込部４２で受取って携帯制御部３１が接続情報等を読取ると共に、タグ読取書込部４２から携帯端末３の固有情報が複合機１のＩＣタグ２０に出力されたときに、ＩＣタグ２０のタグ制御部２１は受取った固有情報をタグ記憶部２３に書込んで保存する。
【００７３】
以下に、図８および図９に示すフローチャートを用いて、本実施例の通信システムによるかざして通信処理の処理動作について説明する。
なお、図８に示す携帯端末３の印刷指示処理の処理動作はＳＢで示すステップに従って、図９に示す複合機１の印刷処理の処理動作はＳＣで示すステップに従って説明する。
【００７４】
また、複合機１の処理動作は、同一のネットワーク６内に属する場合は同様であるので、１台の複合機１を例に説明する。
本実施例の携帯端末３のステップＳＢ１（図８）からＳＢ５、および複合機１のステップＳＣ１（図９）、ＳＣ２の処理動作は、上記実施例１のステップＳ１（図３）からＳ５、および複合機１のステップＳＡ１（図５）、ＳＡ２の処理動作と同様であるので、その説明を省略する。
【００７５】
この場合に、ステップＳＢ５において、全ての複合機１のＮＦＣ設定が有効または制限付有効となっている場合はステップＳＢ８へ移行する。
【００７６】
ＳＢ６（図８）：ステップＳＢ５でいずれかの複合機１のＮＦＣ設定が無効となっていることを認識した端末制御部３１は、指示情報生成部３１ｂによって、複合機１のＮＦＣ機能を制限付有効に変更することを指示するためのＮＦＣ設定制限付有効化指示を生成し、生成したＮＦＣ設定制限付有効化指示を、ネットワーク６を介してＮＦＣ設定が無効となっている複合機１へ送信してステップＳＢ７へ移行する。
【００７７】
この送信は、結合子Ｙ３を介して図９のステップＳＣ３へ送信される。
【００７８】
ＳＣ３：設定値情報の送信後に、携帯端末３からのＮＦＣ設定制限付有効化指示の受信を待って待機していた装置制御部１１は、ＮＦＣ設定制限付有効化指示を受信したときに、ステップＳＣ４へ移行する。ＮＦＣ設定制限付有効化指示を受信しない場合は前記の待機を継続する。
【００７９】
ＳＣ４：ＮＦＣ設定制限付有効化指示を受信した装置制御部１１は、装置情報設定部１１ｂに、ＮＦＣ設定を制限付有効に変更する旨を通知し、装置情報設定部１１ｂは、装置記憶部１３の設定値情報記憶部１３ａに保存されている現在の設定値情報を読出し、読出した設定値情報を一時保存部１３ｂに一時保存する。
【００８０】
ＳＣ５：現在の設定値情報を一時保存した装置情報設定部１１ｂは、装置制御部１１からの通知を基に、設定値情報のＮＦＣ設定を制限付有効に書替え、書替えた新たな設定値情報を設定値情報記憶部１３ａに保存してステップＳＣ６へ移行する。
【００８１】
ＳＢ７：一方、ステップＳＢ６でＮＦＣ設定制限付有効化指示を送信した端末制御部３１は、ＮＦＣ設定制限付有効化指示を送信した複合機１の装置ＩＤ等の情報を端末記憶部３３の装置設定情報記憶部３３ａに保存する。
【００８２】
ＳＢ８：ステップＳＢ５またはＳＢ７から移行した端末制御部３１は、ＮＦＣ設定制限付有効化指示を送信した複合機１に加えて、ステップＳＢ４で受信した複合機１の設定値情報のＮＦＣ設定が、既に制限付有効となっていた複合機１へ、固有情報生成部４１で生成した固有情報を、ネットワーク６を介して送信しステップＳＢ９へ移行する。
この送信は、結合子Ｙ４を介して図９のステップＳＣ６へ送信される。
【００８３】
ＳＣ６：携帯端末３からの固有情報の受信を待って待機していた装置制御部１１は、固有情報を受信したときにステップＳＣ７へ移行する。固有情報を受信しない場合は前記の待機を継続する。
【００８４】
ＳＣ７：携帯端末３から固有情報を受信した装置制御部１１は、受信した固有情報を装置記憶部１３の一時保存部１３ｂに保存する共にＩＣタグ２０のＮＦＣ機能を有効にしてステップＳＣ８へ移行する。
【００８５】
ＳＢ９：一方、ステップＳＢ８で固有情報を送信した端末制御部３１は、携帯端末３のＮＦＣ機能を有効にして、タグ読取書込部４２による電磁給電を開始し、所定の時間（例えば、３分間）の経過を待って待機し、所定の時間が経過したときにステップＳＢ１１へ移行する。所定の時間が経過していない場合はステップＳＢ１０へ移行する。
【００８６】
ＳＢ１０：タグ読取書込部４２による電磁給電を開始した端末制御部３１は、印刷ＡＰを起動した利用者が携帯端末３を複合機１のＩＣタグ２０にかざすのを待って待機し、利用者が携帯端末３を複合機１のＩＣタグ２０にかざしたときに、複合機１のＩＣタグ２０からＮＦＣ機能により接続情報を読取ると共にＩＣタグ２０へ固有情報を書込んでステップＳＢ１２へ移行する。
接続情報の読取り、固有情報の書込みを行っていない場合は、ステップＳＢ９へ戻ってステップＳＢ９、ＳＢ１０による待機を継続する。
【００８７】
ＳＢ１１：所定の時間内に接続情報の読取り、固有情報の書込みが行えなかったことを認識した端末制御部３１は、携帯端末３のＮＦＣ機能を無効に戻し、上記実施例１のステップＳ１０と同様にして、生成したＮＦＣ設定無効化指示を、装置設定情報記憶部３３ａに保存した全ての複合機１へ送信し、今回の印刷ＡＰの起動に伴う印刷指示処理を終了させる。
この送信は、結合子Ｙ５を介して図９のステップＳＣ８へ送信される。
【００８８】
ＳＢ１２：タグ読取書込部４２により複合機１のＩＣタグ２０からの接続情報の読取り、ＩＣタグ２０への固有情報の書込みを行った端末制御部３１は、携帯端末３のＮＦＣ機能を無効に戻し、外部情報制御部３１ａにより読取った接続情報を端末記憶部３３に保存し、ステップＳＢ１１と同様にして、生成したＮＦＣ設定無効化指示を、装置設定情報記憶部３３ａに保存した複合機１の中から、接続情報を読取った複合機１を除いた複合機１へ送信する。
この送信は、結合子Ｙ５を介して図９のステップＳＣ８へ送信される。
【００８９】
この場合に、接続情報の読取り等を行った複合機１が、上記ステップＳＢ４で受信した設定値情報のＮＦＣ設定が、既に制限付有効になっていた場合は、装置設定情報記憶部３３ａに保存した全ての複合機１へＮＦＣ設定無効化指示を送信する。
【００９０】
ＳＣ８：装置制御部１１は、ＩＣタグ２０のＮＦＣ機能を有効にしたときからの一定の時間（例えば３分間）の経過を待って待機し、一定の時間が経過したときにステップＳＣ１１へ移行する。一定の時間が経過していない場合はステップＳＣ９へ移行する。
【００９１】
ＳＣ９：装置制御部１１は、携帯端末３からのＮＦＣ設定無効化指示の受信を待って待機し、携帯端末３からＮＦＣ設定無効化指示を受信したときにステップＣ１１へ移行する。ＮＦＣ設定無効化指示を受信しない場合はステップＳＣ１０へ移行する。
【００９２】
ＳＣ１０：装置制御部１１は、利用者がＩＣタグ２０へ携帯端末３をかざすのを待って待機し、ＩＣタグ２０へ携帯端末３がかざされ、携帯端末３からの電磁給電を受付けたときに、タグ制御部２１によって、携帯端末３のタグ読取書込部４２へ、タグ記憶部２３に記憶している接続情報をタグアンテナ２０ａを介して出力し、タグ読取書込部４２から入力された固有情報をタグ記憶部２３に書込んで保存しステップＳＣ１２へ移行する。
接続情報の出力等を行っていない場合は、ステップＳＣ８へ戻って、ステップＳＣ８からＳＣ１０による待機を継続する。
【００９３】
ＳＣ１１：ステップＳＣ８で一定時間の経過を判定した、またはステップＳＣ９でＮＦＣ設定無効化指示を受信した装置制御部１１は、装置記憶部１３の一時保存部１３ｂに一時保存した元の設定値情報つまりＮＦＣ設定が無効となっている設定値情報を読出し、これを設定値記憶部１３ａに保存して複合機１の設定値情報のＮＦＣ機能を元の状態に復帰させ、今回の設定値情報送信要求の受信に伴う印刷処理を終了させる。
【００９４】
ＳＣ１２：ステップＳＣ１０でタグ記憶部２３に固有情報を保存した装置制御部１１は、装置機能制御部１１ｃによって、タグ記憶部２３に保存した固有情報と、ステップＳＣ７で一時保存部１３ｂに一時保存した固有情報とを比較し、２つの固有情報が一致する場合は、利用者を認証して、ネットワーク６を介した無線通信を許可しステップＳＣ１３へ移行する。
【００９５】
２つの固有情報が不一致の場合は、ＮＦＣ機能の利用を不許可としたまま、ステップＳＣ８へ戻って、ステップＳＣ８、ＳＣ９による待機を継続すると共に、ステップＳＣ１０による新たな固有情報の入力を待つ待機を継続する。
【００９６】
ＳＣ１３：利用者を認証してネットワーク６を介した無線通信を許可した装置制御部１１は、ステップＳＣ１１と同様にして、自機の設定値情報を元の状態に復帰させてステップＳＣ１４へ移行する。
【００９７】
ＳＢ１３：一方、ステップＳＢ１２でＮＦＣ設定無効化指示を送信した端末制御部３１は、タグ読取部３４で読取り、端末記憶部３２に保存した複合機１の接続情報を基に無線通信部３２と複合機１の無線通信部１２の間のネットワーク６を介した接続を確立させ、指示情報生成部３１ｂによって、利用者が選択した画像や文字列からなる印刷データと固有情報を添付した印刷指示を生成し、生成した印刷指示をネットワーク６を介して接続情報を読取った複合機１へ送信する。この送信は、結合子Ｙ６を介して図９のステップＳＣ１４へ送信される。
そして、端末制御部３１は、今回の印刷ＡＰの起動に伴う印刷指示処理を終了させる。
【００９８】
ＳＣ１４：接続情報の出力後に、自機の設定値情報を元の状態に復帰させた装置制御部１１は、携帯端末３からの印刷指示の受信を待って待機し、印刷指示を受信したときにステップＳＣ１５へ移行する。印刷指示を受信しない場合は前記の待機を継続する。
【００９９】
ＳＣ１５：印刷指示を受信した装置制御部１１は、装置機能制御部１１ｃによって、受信した印刷指示に添付された印刷データの画像や文字列を、印刷部１５により用紙上に印刷して外部に排出し、今回の設定値情報送信要求の受信に伴う印刷処理を終了させる。
【０１００】
一方、排出された印刷物を視認した利用者は当該印刷物を受取る。
このようにして、本実施例の通信システムによるかざして通信処理が実行される。
【０１０１】
なお、本実施例では、ＮＦＣ機能を利用する度に、上記ステップＳＢ８で携帯端末３から複合機１へネットワーク６を介して固有情報を送信するとして説明したが、複合機１が固有情報を記憶し続けることが可能な装置の場合は、２回目以降のＮＦＣ機能の利用におけるステップＳＢ８による固有情報の送信を省略するようにしてもよい。この場合には、複合機１が記憶している固有情報と、ＩＣタグ２０に書込まれた固有情報とを比較して利用者を認証するようにするとよい。
【０１０２】
また、本実施例では、携帯端末３の固有情報は、携帯端末３のシリアル番号であるとして説明したが、固有情報は前記に限らず、利用者のパスワードや氏名等であってもよい。要は、接続すべき携帯端末３を特定することが可能な情報であればよい。
【０１０３】
以上説明したように、本実施例では、上記実施例１と同様の効果に加えて、ＮＦＣ機能を用いて複合機１で印刷等を行う場合に、事前に同一ネットワーク６上の各複合機１に、ネットワーク６を介して携帯端末３の固有情報を送信し、ＮＦＣ機能の利用時に複合機１のＩＣタグ２０に同じ固有情報を書込み、これらが一致した場合のみＮＦＣ機能の利用を可能にするので、複合機１による装置利用者の特定が可能になり、複合機１への意図しないＮＦＣ機能の利用を防止して、強固なセキュリティ上でのＮＦＣ機能の利用を可能にすることができる。
【０１０４】
なお、上記各実施例においては、同一グループ内の無線通信は、インフラストラクチャモードを利用して行うとして説明したが、アクセスポイントモード、Ｗｉ−Ｆｉダイレクト等を利用して行うようにしてもよい。
【０１０５】
また、上記各実施例においては、同一ネットワーク６に接続する複数の複合機１が、全てＮＦＣ機能を備えている場合を例に説明したが、ＮＦＣ機能を備えていない複合機が含まれている場合は、当該複合機１へのＮＦＣ設定有効化指示やＮＦＣ設定制限付有効化指示を送信しないようにし、全ての複合機がＮＦＣ機能を備えていない場合は、かざして通信処理を終了させるようにするとよい。
【０１０６】
更に、上記各実施例においては、ＮＦＣ機能を利用した印刷処理の場合を例に説明したが、スキャン処理に適用しても上記と同様の効果を得ることができる。
【０１０７】
この場合には、上記ステップＳ１またはＳＢ１において、利用者がスキャンする原稿を複合機１のスキャナ部１７にセットしてスキャンＡＰを起動し、ステップＳ１２またはＳＢ１３において、携帯端末３から複合機１のスキャン機能を始動するためのスキャン指示をネットワーク６を介して送信し、複合機１は、ステップＳＡ１２またはＳＣ１５において、スキャン指示を基にセットされた原稿の画像を読取り、読取った画像をネットワーク６を介して携帯端末３へ送信し、携帯端末３は受信した画像を端末記憶部３３に保存するようにするとよい。
【０１０８】
更に、上記各実施例においては、複合機１のＩＣタグ２０は操作表示部１８に設けるとして説明したが、複合機１の装置本体のいずれかの部位に視認可能に設ければ足りる。
【０１０９】
更に、上記各実施例においては、携帯端末３の場合の所定の待機時間、複合機１の場合の一定の待機時間は、いずれも３分間であるとして説明したが、これらの待機時間は３分間より長くても短くてもよく、異なる時間であってもよい。要は、利用者の移動や、かざし動作に要する時間を含めてＮＦＣ機能による接続情報の読取りや固有情報の書込みを確実に行うことができる時間であればよい。
【０１１０】
更に、上記各実施例においては、画像形成装置は複合機１であるとして説明したが、画像形成装置は前記に限らず、ＮＦＣ機能を有する複写機やプリンタ、Ｆａｘ等であってもよい。
【符号の説明】
【０１１１】
１    複合機
３    携帯端末
５    基地局
６    ネットワーク
１１  装置制御部
１１ａ  装置情報提供部
１１ｂ  装置情報設定部
１１ｃ  装置機能制御部
１２、３２  無線通信部
１３  装置記憶部
１３ａ  設定値情報記憶部
１３ｂ  一時保存部
１５  印刷部
１６  スキャナ部
１８  操作表示部
１８ａ  パネル操作部
２０  ＩＣタグ
２０ａ  タグアンテナ
２１  タグ制御部
２２  内部入出力部
２３  タグ記憶部
２４  外部入出力部
３１  携帯制御部
３１ａ  外部情報制御部
３１ｂ  指示情報生成部
３３  携帯記憶部
３３ａ  装置設定情報保存部
３４  タグ読取部
３４ａ、４２ａ  端末アンテナ
４１  固有情報生成部
４２  タグ読取書込部
【図１】
2020162061.tif 000003
【図２】
2020162061.tif 000004
【図３】
2020162061.tif 000005
【図４】
2020162061.tif 000006
【図５】
2020162061.tif 000007
【図６】
2020162061.tif 000008
【図７】
2020162061.tif 000009
【図８】
2020162061.tif 000010
【図９】
2020162061.tif 000011